(57)【要約】【課題】給湯装置の運転操作を行う機能に加えて、暖房装置の運転操作を行う機能が付加されたリモコンのロック状態での使い勝手を向上させることができるリモコンを提供する。【解決手段】給湯装置１の運転操作を行い得るリモコン３は、特定の操作スイッチ３５の操作を含む複合操作によって暖房装置１０の運転操作を行うことも可能であると共に、操作スイッチ３５等の操作を無効化するロック状態と、非ロック状態とに選択的に切替可能である。ロック状態では、操作スイッチ３５の操作とは異なる所定の操作スイッチ３６〜３９，４１の操作によって、ロック状態を維持したまま、暖房装置１０の運転を停止させることが可能である。【選択図】図２
2019086169.tif 000002
【特許請求の範囲】
【請求項１】
表示部と、複数の操作スイッチとを有し、該複数の操作スイッチのうちの一つ以上の操作スイッチの操作によって、給湯装置の運転操作を行うことが可能であると共に、前記複数の操作スイッチのうちの特定の操作スイッチの操作を行うことで、一つ以上の暖房装置の運転操作を行うことが可能な状態に移行するように構成されたリモコンであって、
前記複数の操作スイッチのうちの前記特定の操作スイッチを含む複数の無効化対象の操作スイッチの通常操作を無効化するロック状態と、該ロック状態が解除された非ロック状態とに選択的に切替可能に構成されており、
前記ロック状態において、所定の操作スイッチにて所定の操作を行うことによって、該ロック状態を維持したまま、一つ以上の前記暖房装置の運転を停止し得るように構成されていることを特徴とするリモコン。
【請求項２】
請求項１記載のリモコンにおいて、
前記ロック状態において、前記所定の操作スイッチにて前記所定の操作を行うことによって、全ての前記暖房装置の運転を一括して停止し得るように構成されていることを特徴とするリモコン。
【請求項３】
請求項１又は２記載のリモコンにおいて、
前記ロック状態において、複数の前記暖房装置のそれぞれの運転を各別に停止させることが可能であると共に、各暖房装置の運転を停止するために操作すべき前記所定の操作スイッチは、複数の前記暖房装置のそれぞれ毎に互いに異なるように構成されていることを特徴とするリモコン。
【請求項４】
請求項１〜３のいずれか１項に記載のリモコンにおいて、
前記所定の操作スイッチは、前記非ロック状態では、一つ以上の前記暖房装置の運転を停止する機能を有せず、該暖房装置の運転を停止すること以外の機能が割り当てられていることを特徴とするリモコン。
【請求項５】
請求項１〜４のいずれか１項に記載のリモコンにおいて、
前記ロック状態において、前記所定の操作を示す情報が、前記表示部に表示されるように構成されていることを特徴とするリモコン。
【発明の詳細な説明】
【技術分野】
【０００１】
本発明は、給湯装置に加えて、他の暖房装置の運転操作を行い得るリモコンに関する。
【背景技術】
【０００２】
従来、例えば特許文献１に見られるように、給湯装置の運転操作を行うためのリモコン（給湯装置に付属するリモコン）に、床暖房装置、浴室暖房装置等の複数の暖房装置の運転操作を行い得る機能を付加したものが知られている。
【０００３】
また、例えば特許文献２に見られるように、給湯装置の運転操作を行い得るリモコンに、所謂、チャイルドロック機能を備えたものが知られている。
【先行技術文献】
【特許文献】
【０００４】
【特許文献１】特開２０１７−３２２５２号公報
【特許文献２】特開２００５−６１７９４号公報
【発明の概要】
【発明が解決しようとする課題】
【０００５】
特許文献１に見られるように、主たる操作対象の給湯装置の運転操作だけでなく、暖房装置の運転操作をも行い得るリモコンでは、給湯装置及び暖房装置のそれぞれ毎に、種々の運転操作用の専用的な操作スイッチを備えることは、該リモコンの大型化やコスト増加を招き、実用的でない。
【０００６】
このため、特許文献１に見られる如きリモコン（主たる操作対象が給湯装置であるリモコン）では、一般に、暖房装置の運転については、リモコンの特定の操作スイッチ（例えばメニュースイッチ）を操作することで、リモコンが各暖房装置の運転操作を行い得る状態に移行し、この状態での操作スイッチの操作によって、各暖房装置の運転操作を行い得るように構成されているのが通例である。
【０００７】
一方、特許文献２に見られる如きチャイルドロック機能は、小さな子供によって装置の運転操作が勝手になされてしまうのを防止するための機能であるため、該チャイルドロック機能を有効状態にした場合には、チャイルドロック機能の解除操作等の一部の操作以外の操作（特に、装置の運転が開始されたり、あるいは、装置の運転条件が変更されてしまうような操作）を受け付けないものとすることが好ましい。
【０００８】
従って、特許文献１に見られる如き態様のリモコンに、チャイルドロック機能を適用する場合、該チャイルドロック機能の有効状態（以降、ロック状態ということがある）では、暖房装置の種々の運転操作を行うために必要なメニュースイッチ等の特定の操作スイッチの操作を無効化する（該特定の操作スイッチが操作されても、リモコンを、暖房装置の種々の運転操作を行い得る状態に移行させない）ことが好ましい。
【０００９】
しかるに、このようなリモコンでは次のような不都合を生じる。例えば、リモコンのロック状態で暖房装置の暖房運転を行っている状態で、ユーザが、外出等のために、リモコンをロック状態としたままで、暖房運転を停止しようとする状況が生じ得る。
【００１０】
この場合、上記のようにチャイルドロック機能を適用したリモコン（特許文献１に見られる如き態様のリモコン）では、ロック状態において、メニュースイッチ等の特定の操作スイッチの操作が無効化されるため、ユーザは、リモコンのロック状態を一旦、解除した上で、上記特定の操作スイッチを操作することで、リモコンを暖房装置の種々の運転操作を行い得る状態に移行させ、この状態で、暖房装置の暖房運転を停止させた後、新ためてリモコンをロック状態にすることが必要となる。
【００１１】
従って、リモコンのロック状態で、暖房装置の暖房運転を停止するための操作が煩雑になり過ぎて、リモコンの使い勝手が損なわれるという不都合がある。
【００１２】
本発明はかかる背景に鑑みてなされたものであり、給湯装置の運転操作を行う機能に加えて、暖房装置の運転操作を行う機能が付加されたリモコンのロック状態での使い勝手を向上させることができるリモコンを提供することを目的とする。
【課題を解決するための手段】
【００１３】
本発明のリモコンは、上記の目的を達成するために、表示部と、複数の操作スイッチとを有し、該複数の操作スイッチのうちの一つ以上の操作スイッチの操作によって、給湯装置の運転操作を行うことが可能であると共に、前記複数の操作スイッチのうちの特定の操作スイッチの操作を行うことで、一つ以上の暖房装置の運転操作を行うことが可能な状態に移行するように構成されたリモコンであって、
前記複数の操作スイッチのうちの前記特定の操作スイッチを含む複数の無効化対象の操作スイッチの通常操作を無効化するロック状態と、該ロック状態が解除された非ロック状態とに選択的に切替可能に構成されており、
前記ロック状態において、所定の操作スイッチにて所定の操作を行うことによって、該ロック状態を維持したまま、一つ以上の前記暖房装置の運転を停止し得るように構成されていることを特徴とする（第１発明）。
【００１４】
なお、本発明において、「複数の無効化対象の操作スイッチの通常操作」というのは、前記非ロック状態において、前記給湯装置又は前記暖房装置の運転操作を行うために、前記無効化対象の操作スイッチのそれぞれで行われる標準的な（常用的な）操作である。当該通常操作には、前記リモコンの状態を、一つ以上の前記暖房装置の運転操作を行うことが可能な状態に移行させるための前記特定の操作スイッチの操作が含まれる。
【００１５】
そして、無効化対象の操作スイッチの通常操作を「無効化する」というのは、前記非ロック状態での該無効化対象の操作スイッチの通常操作に応じて実現される機能を無効化することを意味する。
【００１６】
上記第１発明によれば、前記ロック状態では、前記特定の操作スイッチの通常操作に応じて前記リモコンの状態が、一つ以上の前記暖房装置の運転操作を行うことが可能な状態に移行すること（以降、単に状態移行ということがある）が、無効化されるため、該状態移行を介して一つ以上の前記暖房装置の運転を停止させることはできないものの、前記所定の操作スイッチにて前記所定の操作を行うことによって、該ロック状態を維持したまま、一つ以上の前記暖房装置の運転を停止することができる。
【００１７】
このため、前記ロック状態においては、前記ロック状態を解除することなく、前記所定の操作スイッチにて前記所定の操作を行うだけで、一つ以上の前記暖房装置の運転を停止することができる。
【００１８】
また、前記ロック状態では、前記特定の操作スイッチの通常操作に応じた前記状態移行が無効化されるので、小さい子供等によって、むやみに暖房装置の運転操作が行われるのを防止することができる。
【００１９】
よって、第１発明のリモコンによれば、ロック状態でのリモコンの使い勝手を向上させることができる。
【００２０】
上記第１発明では、前記ロック状態において、前記所定の操作スイッチにて前記所定の操作を行うことによって、全ての前記暖房装置の運転を一括して停止し得るように構成され得る（第２発明）。
【００２１】
これによれば、前記ロック状態において、前記所定の操作スイッチにて前記所定の操作を行うだけで、全ての前記暖房装置の運転を一括して停止することができるので、利便性を高めることができる。
【００２２】
また、上記第１発明又は第２発明では、前記ロック状態において、複数の前記暖房装置のそれぞれの運転を各別に停止させることが可能であると共に、各暖房装置の運転を停止するために操作すべき前記所定の操作スイッチは、複数の前記暖房装置のそれぞれ毎に互いに異なるように構成され得る（第３発明）。
【００２３】
これによれば、前記ロック状態において、複数の暖房装置のそれぞれに対応する前記所定の操作スイッチを操作することで、複数の暖房装置のうちの所望の暖房装置の運転だけを個別に停止させることができるので、利便性を高めることができる。
【００２４】
また、上記第１〜第３発明では、前記所定の操作スイッチは、前記非ロック状態では、一つ以上の前記暖房装置の運転を停止する機能を有せず、該暖房装置の運転を停止すること以外の機能が割り当てられていることが好ましい（第４発明）。
【００２５】
これによれば前記非ロック状態では、暖房装置の運転を停止すること以外の機能を有する操作スイッチを、前記ロック状態における前記所定の操作スイッチとして使用することができる。このため、暖房装置の運転の停止のための専用的な操作スイッチをリモコンに備えずとも、ロック状態における暖房装置の運転停止を行うことができ、ひいては、リモコンの大型化やコスト増加を防止することができる。さらに、前記非ロック状態では、前記所定の操作スイッチの誤操作によって、暖房装置の運転を停止してしまうのを防止できる。
【００２６】
また、上記第１〜第４発明では、前記ロック状態において、前記所定の操作を示す情報が、前記表示部に表示されるように構成されていることが好ましい（第５発明）。
【００２７】
これによれば、ロック状態において、暖房装置の運転を停止させるための操作（前記所定の操作スイッチでの所定の操作）をユーザが失念していても、暖房装置の運転を停止させる操作を速やかに実行することができ、リモコンの利便性を高めることができる。
【図面の簡単な説明】
【００２８】
【図１】本発明の実施形態のリモコンを備えるシステムの全体構成を示す図。
【図２】実施形態のリモコンの外観構成の詳細を示す図。
【図３】実施形態のリモコンの各操作スイッチの機能を示す図。
【図４】実施形態のリモコンによる暖房装置の運転操作の仕方の例を示す図。
【発明を実施するための形態】
【００２９】
本発明の一実施形態を図１〜図４を参照して以下に説明する。図１を参照して、本実施形態のリモコン３は、任意の住戸Ｈに設置された給湯装置１に付属するリモコンである。この場合、住戸Ｈには、給湯装置１以外に、該給湯装置１の後述の熱源機２で加熱可能な温水を利用する一つ以上の（所定の上限数以下の）温水式の暖房装置、例えば、３つの床暖房装置１０ａ，１０ｂ，１０ｃと浴室暖房装置１０ｄとの４つの暖房装置が設置されている。以降、床暖房装置１０ａ，１０ｂ，１０ｃ及び浴室暖房装置１０ｄのそれぞれを単に暖房装置１０と称する場合がある。
【００３０】
なお、暖房装置１０には、床暖房装置１０ａ，１０ｂ，１０ｃ及び浴室暖房装置１０ｄのいずれかが含まれなくてもよい。また、床暖房装置１０ａ，１０ｂ，１０ｃのいずれかの代わりに、例えば、ファンコンベクタ等の温風暖房装置が備えられていてもよい。また、暖房装置１０には、電気式（ヒートポンプ方式を含む）の暖房装置が含まれていてもよい。
【００３１】
給湯装置１は、本実施形態では、台所や浴室ＢＲ等の給湯対象箇所（カラン、シャワー等が設置された箇所）への給湯を行う給湯運転の他、浴槽ＢＴに湯はりを行う湯はり運転、浴槽ＢＴ内の湯水を加熱する追い焚き運転等の風呂運転を実行可能な風呂給湯装置であり、湯水を加熱する機能を有する熱源機２と、給湯装置１の運転操作を行い得る複数の（例えば２つの）リモコン３，４とを備える。
【００３２】
熱源機２には、水道水等の水を該熱源機２に給水する給水管５と、加熱した水（湯）を給湯対象箇所に供給する給湯管６とが接続されていると共に、加熱した水（湯）を浴槽ＢＴに供給したり、あるいは、浴槽ＢＴ内の湯水を浴槽ＢＴとの間で循環させるための浴槽配管７を介して浴槽ＢＴが接続され、さらに、暖房用の温水を各暖房装置１０との間で循環させる暖房配管８を介して各暖房装置１０が接続されている。
【００３３】
そして、熱源機２には、給水管５から供給される水や、浴槽ＢＴ内の湯水、暖房用の温水を加熱し得るように、図示を省略するバーナ等の加熱源及び熱交換器が搭載されている。
【００３４】
また、熱源機２には、該熱源機２の作動制御を行う機能を有する制御装置２ａが搭載されている。該制御装置２ａは、マイコン、メモリ、インターフェース回路等を含む電子回路ユニットにより構成され、実装されたハードウェア構成及びプログラム（ソフトウェア構成）により実現される機能によって熱源機２の作動制御を行う。
【００３５】
また、制御装置２ａは、リモコン３，４のそれぞれと通信し得るように該リモコン３，４に有線接続されていると共に、各暖房装置１０の制御装置（図示省略）と通信し得るように、各暖房装置１０の制御装置が有線接続されている。そして、制御装置２ａは、各リモコン３，４との通信によって、給湯装置１、あるいは、各暖房装置１０の運転に関する指令情報や、設定情報を受信することが可能である。
【００３６】
また、制御装置２ａは、各暖房装置１０の制御装置との通信によって、各暖房装置１０の動作指令を、各暖房装置１０の制御装置に送信したり、各暖房装置１０の作動状態を各暖房装置１０の制御装置から受信することが可能である。
【００３７】
なお、制御装置２ａと、各リモコン３，４、あるいは各暖房装置１０の制御装置との間の通信方式は、有線通信に限らず、Wi-Fi（登録商標）、Bluetooth（登録商標）等の無線通信方式であってもよい。
【００３８】
リモコン３，４のうち、リモコン４は、給湯装置１の運転操作を行い得るように浴室ＢＲに設置されるリモコンである。このリモコン４は、図１に模式的に示すように、種々の情報を表示する表示部４ａと、複数の操作スイッチを含む操作部４ｂとを有し、操作部４ｂの操作に応じて、給湯装置１の給湯運転及び風呂運転に関する指令情報や設定情報等を制御装置２ａに送信することで、該給湯運転及び風呂運転に関する運転操作を行い得るように構成されている。
【００３９】
リモコン３は、給湯装置１の運転操作を行うだけでなく、各暖房装置１０の運転操作をも行い得るように、浴室ＢＲ以外の箇所、例えば台所に設置されるリモコン（メインリモコン）である。このリモコン３は、本発明の一実施形態としてのリモコンであり、図１に模式的に示すように、種々の情報を表示する表示部３ａと、複数の操作スイッチを含む操作部３ｂ（詳細は後述）とを有する。
【００４０】
そして、リモコン３は、操作部３ｂの操作に応じて、給湯装置１の給湯運転及び風呂運転に関する指令情報や設定情報等を制御装置２ａに送信することで、該給湯運転及び風呂運転に関する運転操作を行い得るように構成されているだけでなく、さらに、操作部３ｂの操作に応じて、各暖房装置１０の運転に関する指令情報や設定情報等を制御装置２ａに送信することで、該制御装置２ａを介して各暖房装置１０の運転操作をも行い得るように構成されている。
【００４１】
また、リモコン３は、所謂、チャイルドロック機能も有し、操作部３ｂの特定の操作スイッチの所定の操作によって、該チャイルドロック機能を有効状態にしたり、あるいは、該有効状態を解除することが可能である。該チャイルドロック機能は、リモコン３の操作部３ｂの一部の操作以外の操作を無効とする（該操作を受け付けない）機能であり、該チャイルドロック機能の有効状態（以降、ロック機能ＯＮ状態という）が、本発明におけるロック状態に相当する。また、該チャイルドロック機能の有効状態を解除した状態（以降、ロック機能ＯＦＦ状態という）が本発明における非ロック状態に相当する。
【００４２】
次に、本発明の一実施形態のリモコンとしてのリモコン３をさらに詳細に説明する。図２に示すように、リモコン３は、液晶表示器等により構成される表示部３ａと、複数の操作スイッチ３１〜４１を有する操作部３ｂと、音声情報や警報音等の音響情報を出力するスピーカ等により構成される発音部３ｃとを備える。また、リモコン３には、該リモコン３の作動や前記制御装置２ａとの通信に関する制御処理を行う制御部（図示省略）が内蔵されている。
【００４３】
図示例のリモコン３では、操作部３ｂは、押し操作可能な操作スイッチとして、例えば、「運転入／切」スイッチ３１、「自動」スイッチ３２、「おいだき」スイッチ３３、「通話」スイッチ３４、「メニュー」スイッチ３５、「上」スイッチ３６、「下」スイッチ３７、「左」スイッチ３８、「右」スイッチ３９、「戻る」スイッチ４０、及び「決定」スイッチ４１を有する。
【００４４】
本実施形態では、これらの操作スイッチ３１〜４１のうち、「通話」スイッチ３４は、リモコン３のロック機能ＯＦＦ状態及びロック機能ＯＮ状態のいずれの状態でも、その押し操作によって、浴室ＢＲ側のリモコン４との間での通話を可能とする操作スイッチである。
【００４５】
また、「通話」スイッチ３４以外の他の操作スイッチ３１〜３３，３５〜４１は、リモコン３のロック機能ＯＦＦ状態において、図３に示す如き機能が割り当てられている。ここで、図３において、「短押し」は、操作スイッチの押し操作と該押し操作の解除とを順次、短時間で行う通常的な操作態様を意味し、「長押し」は、操作スイッチの押し操作を所定時間以上（例えば３秒以上）継続し、その後に該押し操作の解除を行う操作態様を意味する。
【００４６】
「運転入／切」スイッチ３１は、その短押し操作により、熱源機２のＯＮ又はＯＦＦを制御装置２ａに指令する機能が割り当てられたスイッチである。なお、熱源機２のＯＮ状態は、より詳しくは、給湯運転を随時行い得る待機状態であり、ＯＦＦ状態は熱源機２が作動停止状態に維持される状態である。
【００４７】
また、「自動」スイッチ３２は、その短押し操作により、湯はり運転の実行（ＯＮ）又はその停止（ＯＦＦ）を制御装置２ａに指令する機能が割り当てられたスイッチ、「おいだき」スイッチ３２は、その短押し操作により、追い焚き運転の実行（ＯＮ）又はその停止（ＯＦＦ）を制御装置２ａに指令する機能が割り当てられたスイッチである。
【００４８】
「メニュー」スイッチ３５は、その短押し操作により、風呂運転や暖房運転等に関する種々の操作を可能とするメニュー画面の表示、又はその表示の解除をリモコン３で行う機能が割り当てられたスイッチ、「上」スイッチ３６及び「下」スイッチ３７のそれぞれは、その短押し操作により、表示部３ａにおけるカーソル又は強調表示を上もしくは下に移動させたり、あるいは、表示部３ａで表示される給湯温度等の数値を上昇もしくは下降させる機能が割り当てられたスイッチ、「左」スイッチ３８及び「右」スイッチ３９のそれぞれは、その短押し操作により、表示部３ａにおけるカーソル又は強調表示を左もしくは右に移動させたり、あるいは、表示部３ａの画面を切替える機能が割り当てられたスイッチである。
【００４９】
また、「戻る」スイッチ４０は、その短押し操作により、表示部３ａの画面を前の画面に戻す等の機能が割り当てられたスイッチ、「決定」スイッチ４１は、その短押し操作により、表示部３ａの画面での選択項目や設定情報を決定する機能が割り当てられたスイッチである。
【００５０】
さらに、「戻る」スイッチ４０は、その長押し操作時には、短押し操作時と異なる機能が割り当てられている。具体的には、「戻る」スイッチ４０は、リモコン３のロック機能ＯＦＦ状態における長押し操作により、リモコン３をロック機能ＯＦＦ状態からロック機能ＯＮ状態（チャイルドロック機能の有効状態）に切り替える機能が割り当てられている。
【００５１】
そして、リモコン３のロック機能ＯＮ状態では、「戻る」スイッチ４０は、その長押し操作により、リモコン３をロック機能ＯＮ状態からロック機能ＯＦＦ状態に切り替える（チャイルドロック機能の有効状態を解除する）機能が割り当てられている。
【００５２】
また、本実施形態のリモコン３のロック機能ＯＦＦ状態においては、前記「メニュー」スイッチ３５の押し操作を行うことで、リモコン３が風呂運転や、各暖房装置１０の暖房運転に関する運転操作を可能とする状態に移行する（リモコン３の状態移行が行われる）。そして、この状態移行後に、他の操作スイッチ（操作スイッチ３６〜３９等）の押し操作を行うことで、風呂運転や、各暖房装置１０の暖房運転に関する種々の運転操作を行うことが可能となる。
【００５３】
その運転操作の一例を図４を参照して説明する。「メニュー」スイッチ３５の押し操作を行うと、第１段目（最上段）の表示部３ａの画面で例示する如きメニュー画面が表示部３ａに表示される。このメニュー画面では、表示部３ａの左側に、操作対象のリストが表示される。この操作対象のリストにおける「ふろ」、「床暖房１」、「床暖房２」、「床暖房３」、「浴室暖房」は、それぞれ、風呂運転、床暖房装置１０ａの運転、床暖房装置１０ｂの運転、床暖房装置１０ｃの運転、浴室暖房装置１０ｄの運転を意味する。
【００５４】
このように、表示部３ａに操作対象のリストが表示されている状態で、「上」スイッチ３６又は「下」スイッチ３７の押し操作を行うことで、ユーザは、操作対象のリストのうちの所望の操作対象を選択することが可能となっている。そして、選択中の操作対象に関する操作項目のリストが、表示部３ａの右側に表示される。
【００５５】
例えば、図４の第１段目（最上段）の表示部３ａの画面は、「床暖房１」（暖房装置１０ａの運転）が所望の操作対象として選択された状態を示している。この状態では、「床暖房１」に関する操作項目のリストが、表示部３ａの右側に表示される。
【００５６】
このように所望の操作対象を選択した状態で、次に、「決定」スイッチ４１又は「右」スイッチ３９を押し操作すると、操作対象が確定される。このとき、図４の第２段目の表示部３ａで示すように、該操作対象に関する操作項目のリストと各操作項目に関する現在の状態とを示す画面が表示部３ａに表示される。
【００５７】
このような画面状態で、「上」スイッチ３６又は「下」スイッチ３７の押し操作を行うことで、操作対象に関する操作項目が選択され、さらに、「決定」スイッチ４１又は「右」スイッチ３９を押し操作すると、選択された操作項目に関する状態を変更することが可能となる。
【００５８】
例えば、図４の第２段目の表示部３ａの画面状態で、「決定」スイッチ４１又は「右」スイッチ３９を押し操作すると、図４の第３段目の表示部３ａの画面状態となる。そして、この画面状態で、「床暖房１」（床暖房装置１０ａの運転）の「入」（暖房運転の実行）又は「切」（暖房運転の停止）を「上」スイッチ３６又は「下」スイッチ３７の押し操作により選択することで、例えば、図４の第４段目の表示部３ａの画面状態になり、さらに、「決定」スイッチ４１を押し操作することで、暖房装置１０ａの暖房運転の実行又はその停止が制御装置２ａに指令される。なお、図４の第４段目に例示する画面状態は、第３段目の画面状態で「上」スイッチ３６を押し操作することで、「床暖房１」（床暖房装置１０ａの運転）の「入」を選択した状態を示している。この状態では、「決定」スイッチ４１を押し操作することで、暖房装置１０ａの暖房運転が開始される。
【００５９】
他の暖房装置１０ｂ，１０ｃ，１０ｄについても、上記と同様に、「メニュー」スイッチ３５の押し操作を行い、さらに、該押し操作に続いて、他の操作スイッチの押し操作を行うという複合操作によって、運転操作を行うことが可能である。
【００６０】
なお、本実施形態では、「メニュー」スイッチ３５が、本発明における特定の操作スイッチに相当し、該「メニュー」スイッチ３５の押し操作が本発明における特定の操作スイッチの通常操作（リモコン３の前記状態移行を行うための操作）に相当する。
【００６１】
一方、リモコン３のロック機能ＯＮ状態においては、図３に示すように、「通話」スイッチ３４を除く全ての操作スイッチ３１〜３３、３５〜４１の短押し操作が無効となる（該短押し操作が受け付けられない状態となる）。
【００６２】
従って、ロック機能ＯＮ状態では、「メニュー」スイッチ３５の短押し操作を行っても、リモコン３の状態移行は行われず、表示部３ａの画面は、図４の第１段目に示した如きメニュー画面にはならない。ひいては、ロック機能ＯＦＦ状態と同様の通常操作（「メニュー」スイッチ３５の押し操作後に、各暖房装置１０の運転操作を行うという態様での操作）では、各暖房装置１０の運転操作（暖房運転の停止操作等）を行うことができない状態となる。
【００６３】
ただし、本実施形態では、例えば「上」スイッチ３６、「下」スイッチ３７、「左」スイッチ３８、「右」スイッチ３９、及び「決定」スイッチ４１のうちのいずれかの操作スイッチの長押し操作を行うことにより、それぞれの操作スイッチ３６〜３９，４１に対応づけられた暖房装置１０の運転を停止させるための指令が、ロック機能ＯＮ状態を維持したままで、リモコン３で受け付けられ、該暖房装置１０の運転を停止させることが可能となっている。
【００６４】
この場合、「上」スイッチ３６、「下」スイッチ３７、「左」スイッチ３８、及び「右」スイッチ３９のそれぞれには、例えば、「床暖房１」、「床暖房２」、「床暖房３」、「浴室暖房」が対応づけられており、それぞれの操作スイッチ３６〜３９の長押し操作を行うことで、それぞれの操作スイッチ３６〜３９に対応する一つの暖房装置１０ａ又は１０ｂ又は１０ｃ又は１０ｄの暖房運転を停止させることが可能である。
【００６５】
また、「決定」スイッチ４１には、全ての暖房装置１０が対応づけられており、該「決定」スイッチ４１を長押し操作することで、運転中の全ての暖房装置１０の暖房運転を一括して停止させることが可能である。
【００６６】
また、本実施形態では、ロック機能ＯＮ状態では、リモコン３の表示部３ａには、チャイルドロック中である旨と、各暖房装置１０の暖房運転を停止させるための方法とを示す表示がなされる。例えば、「チャイルドロック中です。床暖房１を停止させる場合は、「上」スイッチを、床暖房２を停止させる場合は、「下」スイッチを、床暖房３を停止させる場合は、「左」スイッチを、浴室暖房を停止させる場合は、「下」スイッチを、全ての暖房を停止させる場合は、「決定」スイッチを長押ししてください。」というようなメッセージが表示部３ａで表示される。これにより、通常のユーザは、ロック機能ＯＮ状態において、暖房装置１０の暖房運転の停止の仕方を失念していても、リモコン３のマニュアル等を見直したりせずに、所望の暖房装置１０の暖房運転を速やかに停止させることができる。
【００６７】
補足すると、本実施形態のリモコン３は、上記の如く機能を有するので、「通話」スイッチ３４を除く全ての操作スイッチ３１〜３３、３５〜４１が本発明における無効化対象の操作スイッチに相当すると共に、これらの操作スイッチ３１〜３３、３５〜４１のそれぞれの短押し操作が、本発明における通常操作に相当する。また、「上」スイッチ３６、「下」スイッチ３７、「左」スイッチ３８、「右」スイッチ３９、及び「決定」スイッチ４１のそれぞれが本発明における所定の操作スイッチに相当すると共に、これらの操作スイッチ３６〜３９，４１のそれぞれの長押し操作が本発明における所定の操作に相当する。
【００６８】
以上の如く、本実施形態のリモコン３では、ロック機能ＯＮ状態においては、ロック機能ＯＦＦ状態で各暖房装置１０の運転操作を行うための通常操作（「メニュー」スイッチ３５の押し操作を最初に行う態様の複合操作）と同じ操作では、各暖房装置１０の運転操作を行うことはできないものの、「上」スイッチ３６、「下」スイッチ３７、「左」スイッチ３８、「右」スイッチ３９、又は「決定」スイッチ４１の長押し操作という、ロック機能ＯＦＦ状態で行われない操作を行うだけで、ロック機能ＯＮ状態を維持したまま、所望の暖房装置１０の暖房運転を停止させることができる。
【００６９】
また、ロック状態において、暖房装置１０の暖房運転を停止するために長押し操作を行う操作スイッチである「上」スイッチ３６、「下」スイッチ３７、「左」スイッチ３８、「右」スイッチ３９、又は「決定」スイッチ４１は、非ロック状態では、短押し操作によって、暖房装置１０の暖房運転の停止とは異なる機能を有するように構成されているので、ロック状態において、暖房装置１０の暖房運転を停止するための専用的な操作スイッチを必要としない。このため、リモコン３の大型化やコスト増加を防止できる。
【００７０】
また、「上」スイッチ３６、「下」スイッチ３７、「左」スイッチ３８、「右」スイッチ３９、及び「決定」スイッチ４１は、非ロック状態では、暖房装置１０の暖房運転を停止する機能を持たないため、該非ロック状態において、誤操作によって、暖房装置１０の暖房運転が停止されてしまうのを防止できる。
【００７１】
なお、本発明は、以上説明した実施形態に限定されるものではない。以下の他の実施形態をいくつか説明する。
【００７２】
リモコン３のロック状態において、個々の暖房装置１０又は全ての暖房装置１０の暖房装置１０の暖房運転を停止するための所定の操作スイッチは、「上」スイッチ３６、「下」スイッチ３７、「左」スイッチ３８、「右」スイッチ３９、又は「決定」スイッチ４１と異なる操作スイッチであってもよい。例えば、「メニュー」スイッチ３５を長押し操作することで、いずれかの暖房装置１０又は全ての暖房装置１０の暖房運転を停止させるようにしてもよい。
【００７３】
また、ロック状態において、例えば、各暖房装置１０毎に暖房運転を停止させる機能を省略し、いずれかの操作スイッチの操作によって、全ての暖房装置１０の暖房運転を停止することだけを行い得るようにしてもよい。この場合、例えば、全ての暖房装置１０の暖房運転を停止させるための専用的な操作スイッチをリモコン３に備えるようにすることも可能である。
【００７４】
また、前記実施形態では、ロック状態において、個々の暖房装置１０又は全ての暖房装置１０の暖房運転を停止するために使用する操作スイッチ（「上」スイッチ３６、「下」スイッチ３７、「左」スイッチ３８、「右」スイッチ３９、及び「決定」スイッチ４１）の長押し操作は、ロック状態でだけ機能するが、該長押し操作が、非ロック状態でも機能するようにすることも可能である。
【００７５】
また、ロック状態において、個々の暖房装置１０又は全ての暖房装置１０の暖房運転を停止するために使用する操作スイッチの操作形態としては、単一の操作スイッチの長押し操作に限らず、例えば、２つ以上の操作スイッチを同時に押し操作する形態、あるいは、単一の操作スイッチを、所定時間内に所定回数、押し操作する形態等であってもよい。
【００７６】
また、前記実施形態では、非ロック状態において、「メニュー」スイッチ３５を短押し操作することで、リモコン３を、各暖房装置１０の運転操作を行い得る状態に移行させる（すなわち、リモコン３の状態移行を行う）ようにしたが、例えば、「メニュー」スイッチ３５を長押し操作をすることで、リモコン３の状態移行を行うようにしてもよい。
【００７７】
さらに、非ロック状態では、「メニュー」スイッチ３５の短押し操作（又は長押し操作）によって、リモコン３の状態移行を行わせる一方、ロック状態では、例えば、「メニュー」スイッチ３５の短押し操作（又は長押し操作）によって、リモコン３の状態移行を行うことなく、いずれかの暖房装置１０又は全ての暖房装置１０の暖房運転を停止させるようにしてもよい。
【符号の説明】
【００７８】
１…給湯装置、３…リモコン、１０（１０ａ，１０ｂ，１０ｃ，１０ｄ）…暖房装置、３１〜４１…操作スイッチ、３５…特定の操作スイッチ、３１〜３３，３５〜４１…無効化対象の操作スイッチ、３５〜３９，４１…所定の操作スイッチ。
【図１】
2019086169.tif 000003
【図２】
2019086169.tif 000004
【図３】
2019086169.tif 000005
【図４】
2019086169.tif 000006